(57)【特許請求の範囲】
【請求項１】
ケーシングのシャーシ本体であって、該シャーシ本体は底板と該底板の左右両側に設けられる左右側板並びにフロントカバー及びトップカバーから成り、その後部が開放されており、該開放部にリヤパネルを着脱してなるケーシングにおいて、
前記リヤパネルに設けられ、且つ、前記シャーシ本体の左右側板外側面に設けられている１対の腕板であって、該腕板は略中間部位に前面を開放して成る挿入口及び該挿入口から連続して上方に沿って開穿された長孔を有し、且つ、前記シャーシ本体の左右側板後部外側面に、前記リヤパネルの前記腕板上縁に当接して該リヤパネルの上方の移動を規制する第１規制部と、前記腕板の前記長孔に挿入されて前記リヤパネルの前後方向への移動を規制する第２規制部とを形成するとともに、
上記第１規制部は、シャーシ本体の左右側板に切り起しによって形成され、且つ、前記第２規制部は、シャーシ本体の左右側板後端部の一部を外方に折曲して構成されており、
更に、前記腕板の下縁は前記底板の左右側方に突出した突起に当接するように構成したことを特徴とするケーシングにおけるリヤパネルの取り付け機構。
【請求項２】
ケーシングのシャーシ本体であって、該シャーシ本体は底板と該底板の左右両側に設けられる左右側板並びにフロントカバー及びトップカバーから成り、その後部が開放されており、該開放部にリヤパネルを着脱してなるケーシングにおいて、
前記リヤパネルに設けられ、且つ、前記シャーシ本体の左右側板外側面に設けられている１対の腕板であって、該腕板は略中間部位に前面を開放して成る挿入口及び該挿入口から連続して上方に沿って開穿された長孔を有し、且つ、前記シャーシ本体の左右側板後部外側面に、前記リヤパネルの前記腕板上縁に当接して該リヤパネルの上方の移動を規制する第１規制部と、前記腕板の前記長孔に挿入されて前記リヤパネルの前後方向への移動を規制する第２規制部とを形成するとともに、
上記第１規制部及び第２規制部は、シャーシ本体の上記左右側板に夫々設けられた切り起しにより構成されており、
更に、前記腕板の下縁は前記底板の左右側方に突出した突起に当接するように構成したことを特徴とするケーシングにおけるリヤパネルの取り付け機構。
【発明の詳細な説明】
【０００１】
【発明の属する技術分野】
本発明は、ケーシングのリヤパネルの取り付け機構に関するものであり、特に、シャーシ本体後端開放部にリヤパネルを容易、且つ、確実に仮止め可能にしたケーシングにおけるリヤパネルの取り付け機構に関するものである。
【０００２】
【従来の技術】
従来、各種電装部品を組み込むためのケーシングは、前部にフロントカバーを有し、底板の両側に左右側板が立設されて成るシャーシ本体と、該シャーシ本体は後方部が開放されており、該開放部にリヤパネルを取り付け、更に、該シャーシ本体の上部にトップカバーを取り付けたものが知られている。而して、上記シャーシ本体の開放部に取り付けられるリヤパネルは、該左右側板に取り付けるとき、当初はシャーシ本体に対して仮止めされる。
【０００３】
図６は、リヤパネルを前記左右側板に仮止めする従来の取り付け機構の一例を示す。図６（ａ）において、ケーシングのシャーシ本体１は、底板１ａの両側に１対の側板（他方は図示せず）１ｂが立設されており、該側板１ｂの後部外側面には切り起しによって規制部１ｃが形成されている。リヤパネル２は左右端部を前方へ折曲して成る１対の腕板（他方は図示せず）２ａを有し、該腕板２ａには係止孔２ｂが開穿されている。
【０００４】
前記リヤパネル２は、該両腕板２ａをシャーシ本体１の両側板１ｂの外面に嵌合させると共に、係止孔２ｂを側板１ｂの規制部１ｃに嵌め込むことによってシャーシ本体１の後部に仮止めされる。又、図６（ｂ）はリヤパネル２の腕板２ａに穿設された１対の係止孔２ｃ，２ｃをシャーシ本体１の側板１ｂに突設された１対のピン１ｄ，１ｄに夫々係合させることによって、シャーシ本体１の後部に対するリヤパネル２の仮止めが行われる。
【０００５】
【発明が解決しようとする課題】
図６（ａ）の従来例においては、リヤパネル２に矢印で示す差し込み方向（前後方向）の力が作用した場合には、前記切り起しによって形成された規制部１ｃと係止孔２ｂとの係止状態は強く、リヤパネル２の仮止めは外れないが、横方向への力、或いは前記差込み方向以外の力が作用すると該リヤパネル２の仮止めが外れ易いという問題がある。
【０００６】
又、図６（ｂ）のように、丸形のピン１ｄ，１ｄと丸形の係止孔２ｃ，２ｃとによる仮止めの場合は、リヤパネル２に作用する上下方向の力に対しては充分適応力が働き、該リヤパネル２の仮止めは外れ難いが前記上下方向以外の方向からの力が作用する場合には、該リヤパネル２の仮止めが外れ易いという問題がある。而して、上記シャーシ本体１及びリヤパネル２を有するケーシングに電装部品を組み込むまでは、シャーシ本体１にリヤパネル２を仮止めした状態で持ち運ぶことがある。このとき、特に該シャーシ本体１が比較的重い場合、作業者がリヤパネル２を保持して該シャーシ本体１を持ち運んでいる時に、該リヤパネル２の仮止めが外れると云う欠陥があった。
【０００７】
そこで、シャーシ本体に対するリヤパネルの仮止めを容易、確実に行うことができるようにするために解決されるべき技術的課題が生じてくるのであり、本発明は該課題を解決することを目的とするものである。
【０００８】
【課題を解決するための手段】
本発明は上記目的を達成するために提案されたものであり、請求項１記載の発明は、ケーシングのシャーシ本体であって、該シャーシ本体は底板と該底板の左右両側に設けられる左右側板並びにフロントカバー及びトップカバーから成り、その後部が開放されており、該開放部にリヤパネルを着脱してなるケーシングにおいて、前記リヤパネルに設けられ、且つ、前記シャーシ本体の左右側板外側面に設けられている１対の腕板であって、該腕板は略中間部位に前面を開放して成る挿入口及び該挿入口から連続して上方に沿って開穿された長孔を有し、且つ、前記シャーシ本体の左右側板後部外側面に、前記リヤパネルの前記腕板上縁に当接して該リヤパネルの上方の移動を規制する第１規制部と、前記腕板の前記長孔に挿入されて前記リヤパネルの前後方向への移動を規制する第２規制部とを形成するとともに、上記第１規制部は、シャーシ本体の左右側板に切り起しによって形成され、且つ、前記第２規制部は、シャーシ本体の左右側板後端部の一部を外方に折曲して構成されており、更に、前記腕板の下縁は前記底板の左右側方に突出した突起に当接するように構成したケーシングにおけるリヤパネルの取り付け機構、及び、請求項２記載の発明は、ケーシングのシャーシ本体であって、該シャーシ本体は底板と該底板の左右両側に設けられる左右側板並びにフロントカバー及びトップカバーから成り、その後部が開放されており、該開放部にリヤパネルを着脱してなるケーシングにおいて、前記リヤパネルに設けられ、且つ、前記シャーシ本体の左右側板外側面に設けられている１対の腕板であって、該腕板は略中間部位に前面を開放して成る挿入口及び該挿入口から連続して上方に沿って開穿された長孔を有し、且つ、前記シャーシ本体の左右側板後部外側面に、前記リヤパネルの前記腕板上縁に当接して該リヤパネルの上方の移動を規制する第１規制部と、前記腕板の前記長孔に挿入されて前記リヤパネルの前後方向への移動を規制する第２規制部とを形成するとともに、上記第１規制部及び第２規制部は、シャーシ本体の上記左右側板に夫々設けられた切り起しにより構成されており、更に、前記腕板の下縁は前記底板の左右側方に突出した突起に当接するように構成したケーシングにおけるリヤパネルの取り付け機構を提供するものである。
【０００９】
【発明の実施の形態】
以下、本発明の一実施の形態を図１乃至図４に基づいて説明する。図１及び図２において、１１はケーシングであり、該ケーシング１１はシャーシ本体１２とリヤパネル２１とからなる。而して、該シャーシ本体１２は底板１６と該底板１６の左右両側に立設されている左右側板１７並びに前面に設けられているフロントカバー１９及びトップカバー２０とから成る。又、前記左右側板１７の後端部は解放されており、該解放部２１は前記リヤパネル２１によって着脱自在に閉塞される。又、前記左右側板１７には内向きの折曲片１７ａ，１７ｂがそれぞれ形成されていて、仮想線で示す基板２２が図示しないねじにより固定され、そして、該基板２２上に種々の電装部品２３，２３…が配設される。
【００１０】
又、前記左右側板１７は対称形に形成されているが、図３は左側の側板１７が図示されている。図に於いて、該側板１７の後部外側面には切り起しによって第１規制部１７ｃが形成され、更に該第１規制部１７ｃの下方には、外方を向く折曲片によって形成された第２規制部１７ｄが設けられている。従って、該第１規制部１７ｃ及び第２規制部１７ｄは右側の側板１７にも設けられている。
【００１１】
前記リヤパネル２１はその両端部を前方に折曲して成る左右１対の腕板２１ａ，２１ａを有する。図３においては、該リヤパネル２１の左方部位を示す。而して、該腕板２１ａには前面を開放されてなる挿入口２１ｂと、該挿入口２１ｂに下部が連結している縦向きの長孔２１ｄとが形成されると共に、該腕板２１ａの上端面が係止面２１ｅを形成して前記第１規制部１７ｃに係止し、該リヤパネル２１の上方への移動が規制される。尚、前記リヤパネル２１の両腕板２１ａ，２１ａは、シャーシ本体１２の左右側板１７の後部外側面に嵌合自在に当接される。
【００１２】
又、前記リヤパネル２１の左右の腕板２１ａ，２１ａに形成された長孔２１ｄ，２１ｄ及び挿入口２１ｂ，２１ｂに前記左右側板１７の折曲片によって形成されて成る第２規制部１７ｄ，１７ｄを嵌挿して該リヤパネル２１の前後方向の揺動を規制されて仮止めする取り付け機構１５，１５が構成されている。
【００１３】
尚、図２に示すように、リヤパネル２１には前記トップカバー２０をねじ止めするためのねじ孔２３と、接続用の部品を取り付けるための取り付け孔２５とが設けられている。又、前記左右側板１７は、該左右側板１７の前部側はフロントパネル２６やフロントカバー１９が固着されているために弾性の無い状態であるが、該左右側板１７の後部側は開放状態にあるので、各側板１７の上部が内側に若干傾ける程度の弾性を有している。
【００１４】
前記リヤパネル２１をシャーシ本体１２に仮止めする場合には、前記左右側板１７の各後端上部が内側に傾けられた状態で行われ、その傾倒量は、図３に示す左右側板１７の第１規制部１７ｃ，１７ｃがリヤパネル２１の腕板２１ａ，２１ａの内面側に潜る程度でよい。左右側板１７を上記のように傾けた状態で、図３に示すリヤパネル２１の腕板２１ａ，２１ａの挿入口２１ｂ，２１ｂ内に第２規制部１７ｄ，１７ｄを挿入させると、リヤパネル２１は図４（ａ）に示すように該リヤパネル２１の腕板２１ａ，２１ａがシャーシ本体１２の前記左右側板１７の外側面に嵌合する。而して、図４（ａ）に示す状態のリヤパネル２１を矢印で示す方向に下降させると、図４（ｂ）に示すように、腕板２１ａ，２１ａの長孔２１ｄ，２１ｄ内にシャーシ本体１２を構成する左右側板１７，１７のの第２規制部１７ｄ，１７ｄが挿入すると共に、腕板２１ａ，２１ａの上面２１ｅ，２１ｅは、第１規制部１７ｃ，１７ｃの下縁に当接して規制される。この時、前記腕板２１ａ，２１ａの下縁は前記底板１６の突起１６ａ，１６ａに当接すると共に、リヤパネル２１の上部折曲片２１ｆは左右側板１７の上縁１７ｅ，１７ｅに当接する。
【００１５】
上記のようにして、シャーシ本体１２の後部に装着されたリヤパネル２１は、上方向においては第１規制部１７ｃ，１７ｃにより移動が規制され、又、差込み方向においては第２規制部１７ｄ，１７ｄにより移動が規制されて、而して、リヤパネル２１はシャーシ本体１２に確実に仮止めされる。
【００１６】
該リヤパネル２１を仮止めされたシャーシ本体１２は、前述した電装部品２３の組み込み途中において持運ばれることがあり、この場合、シャーシ本体１２自体の重みによりリヤパネル２１には差込み方向への強い力を受けるが、シャーシ本体１２を構成する左右側板１７の第２規制部１７ｄ，１７ｄがリヤパネル２１の長孔２１ｄ，２１ｄに係合して強固な規制力が働いているので、リヤパネル２１の仮止めが外れることは無い。従って、シャーシ本体１２の持運び中に、リヤパネル２１の仮止めの外れによるシャーシ本体１２の落下や、電装部品２３の破損を未然に防止することができる。
【００１７】
上記実施の形態においては、リヤパネル２１の長孔２１ｄ，２１ｄを規制する第２規制部が左右側板１７に形成された折曲片１７ｄ，１７ｄで形成されている場合について述べたが、該折曲片１７ｄ，１７ｄの代わりに縦方向に長寸の切り起しを用いることもでき、図５はその一例を示す。
【００１８】
図５は、前記シャーシ本体１２の対称形に形成された左右側板１７のうち左側の側板１７を示している。図５において、側板１７の後部外側面には前記実施の形態と同様の第１規制部１７ｃと、その下方部位に切り起しで形成される第２規制部１７ｆとが夫々設けられている。この第２規制部１７ｆは縦方向の寸法Ｌが長寸となるように形成されている。
【００１９】
前記左右側板１７に形成された第１規制部１７ｃ，１７ｃ及び第２規制部１７ｆ，１７ｆと、前記リヤパネル２１の腕板２１ａ，２１ａの上面２１ｅ，２１ｅ及び該腕板２１ａに形成された長孔２１ｄ，２１ｄとによっても、前記実施の形態と同様に該リヤパネル２１をシャーシ本体１２に確実に仮止めすることができ、且つ、前記第１規制部１７ｃ，１７ｃ及び第２規制部１７ｆ，１７ｆが両方共切り起しで形成されるので、加工作業が簡単となってケーシング１１のコストを低減することができる。
【００２０】
尚、本発明は、本発明の精神を逸脱しない限り種々の改変を為すことができ、そして、本発明が該改変されたものに及ぶことは当然である。
【００２１】
【発明の効果】
本発明は、上記一実施の形態に詳述したように、リヤパネルの腕板の上面にシャーシ本体の第１規制部を当接してリヤパネルの上方への移動を規制し、リヤパネルの長孔にシャーシ本体の第２規制部を係合させて、リヤパネルの差込み方向への移動を規制してリヤパネルをシャーシ本体に仮止めするようにしたので、仮止めされたリヤパネルに種々の方向の力が作用してもリヤパネルが外れることがなく、該リヤパネルをシャーシ本体に確実に仮止めすることができる。これにより、リヤパネルが仮止めされたシャーシ本体を、例えば電装部品の組み込み時に持運んだ場合でも、リヤパネルの仮止めが外れるという不具合を未然に防止することができる。
【００２２】
又、上記第１規制部をシャーシ本体の左右側板に設けた切り起しで形成し、且つ、前記第２規制部としてシャーシ本体の左右側板に設けた折曲片で形成して、該切り起し及び折曲片を、前記左右側板と一体に形成したのでケーシングのコストを低減できる。更に、前記腕板の下縁は前記底板の左右側方に突出した突起に当接するように構成したので、より強固なリヤパネルの仮固定の機構を実現することができる。
【００２３】
更に、上記左右側板の第１規制部及び第２規制部の両方共、シャーシ本体の両側板に設けた  切り起しで形成したので、第１規制部及び第２規制部の加工作業が簡単となってケーシングのコストを更に低減できる。加えて、前記腕板の下縁は前記底板の左右側方に突出した突起に当接するように構成したので、より強固なリヤパネルの仮固定の機構を実現することができる。
【図面の簡単な説明】
【図１】本発明の一実施形態に係るケーシングの斜視図である。
【図２】本発明の一実施の形態に係るシャーシ本体及びこれに仮止めされたリヤパネルの斜視図である。
【図３】本発明の一実施形態に係るリヤパネル取り付け機構部の斜視図である。
【図４】本発明の一実施形態に係るリヤパネルの仮止め動作図であって、（ａ）図は仮止め直前のリヤパネルの側面図、（ｂ）図は仮止め終了後のリヤパネルの側面図である。
【図５】本発明の別の実施形態に係る規制部としての切り起しを備えたシャーシ本体の側板の斜視図である。
【図６】従来のリヤパネル取り付け機構の一例を示し、（ａ）図は係止孔を有するリヤパネルと切り起しを有するシャーシ本体の側板の斜視図、（ｂ）図は丸形の１対の係止孔を有するリヤパネルと１対のピンを有するシャーシ本体の側板の斜視図である。
【符号の説明】
１１          ケーシング
１２          シャーシ本体
１５          取り付け機構
１６          シャーシ本体の底板
１７          シャーシ本体の左右側板
１７ｃ        切り起しで形成した第１規制部
１７ｄ        折曲片で形成した第２規制部
１７ｆ        切り起しで形成した第２規制部
２１          リヤパネル
２１ａ        腕板
２１ｂ        挿入口
【図１】
0004320894.tif 000002
【図２】
0004320894.tif 000003
【図３】
0004320894.tif 000004
【図４】
0004320894.tif 000005
【図５】
0004320894.tif 000006
【図６】
0004320894.tif 000007